(57)【特許請求の範囲】
【請求項１】
地面上に低地と高台を形成し、その低地と高台の段差部分に石を積み上げて形成する自然石ハケ構造において、地面上に、防水シート、メッシュシート、砕石層の順に積層して段差形成層を形成し、その段差形成層の低地側に面した斜面に玉石を配置すると共に、その玉石をワイヤを介してメッシュシートに連結し、爾後、段差形成層を順次多段に積層すると共に、玉石を積み上げて対応するメッシュシートにワイヤを連結し、多段の段差形成層からなる高台と、その高台の斜面に玉石からなる段差とで構成される段差部分を形成し、さらに、最下層の段差形成層を除いた防水シートに、雨水などの水を玉石側に流すべく、水を溜めると共にその一部を下層の段差形成層に流す穴を形成したことを特徴とする自然石ハケ構造。
【請求項２】
段差部分を掘削し、その掘削面に不織布を取り付け、その掘削部分に防水シート、メッシュシートを敷き、玉石のワイヤをそのメッシュシートに連結して玉石を並べ、その玉石の列と不織布間に砕石を敷き詰めて砕石層を形成し、その砕石層上に防水シート、メッシュシートを敷き、玉石の列上に玉石を積み重ねて行く請求項１記載の自然石ハケ構造。
【請求項３】
段差部分の上部近傍に、周囲から集めた雨水などの水を濾過して積み上げた玉石に給水する雨水集水濾過桝を設けた請求項１または２記載の自然石ハケ構造。
【請求項４】
雨水集水濾過桝から上部の玉石に至る間に針葉樹の樹皮を敷き詰めた請求項３記載の自然石ハケ構造。
【発明の詳細な説明】
【０００１】
【発明の属する技術分野】
本発明は、法下、池の廻りなどの段差部分に石を積み上げて形成する自然石ハケ構造に係り、特に、軽量であり、景観を向上し、湧水・雨水などを有効に利用して微小生物の生育環境を創出し、又ヒートアイランド現象の緩和を図った自然石ハケ構造に関するものである。
【０００２】
【従来の技術】
水の演出を利用した構造物は、古来より様々なものがある。西洋では、例えば、噴水を始め、カスケード（ｃａｓｃａｄｅ：小滝、階段状に連続する滝）、パティオ（ｐａｔｉｏ：スペイン風の家の中庭）の池、様々なウォーターフォールなどがあり、日本では、例えば、池、流れ、曲水、滝、手水、筧、鹿威し（添水）などがある。これらは、風土や生活様式、建造物や立地条件などの様々な人の営みに則して、時代と共に空間演出の決め手として考えられ、使われてきたものである。
【０００３】
近年、都市部において生活環境を脅かす問題の一つにヒートアイランド現象がある。この現象は、アスファルトを始めとする各種の舗装が都市の地表全体を覆い尽くしたことにより、雨水の地中への浸透が不足し地下水位を下げ、また地表より本来蒸散されるべき雨水の保水能力がないため、蒸散により奪われるはずの地表温度がそのまま舗装材の中に篭もり、連続的に日中の気温を夜中まで引きずる現象である。
【０００４】
そこで最近では、ヒートアイランド現象を緩和するために、集合住宅を含めた住宅を始め、各種の舗装においても、目的とする機能に影響のない範囲で極力雨水を地中に戻すことが行われるようになってきている。この環境を守る大きな流れに沿って、水を利用した構造物も、全くの人工的なものから、より自然を素直に取り入れたものが、時代性があり人々の心に潤いを与えるものとして求められてきている。
【０００５】
雨水を利用してヒートアイランド現象を緩和すると共に、より自然を素直に取り入れた水の演出を利用した構造物として、例えば、自然物のハケを人工物で再現することが考えられる。ハケは、河岸段丘下部にごく普通に見られ、地下水が絞り出されてきて崖下から絞り水がポタポタ流れ出るものである。従来の自然石ハケ構造は、池の廻りなどの段差部分に比較的大きな石を積み上げて形成したものである。
【０００６】
【発明が解決しようとする課題  】
しかしながら、従来の自然石ハケ構造は、非常に多くの比較的大きな石が必要となるため、重くなるという問題がある。これは、屋上などの人工地盤上に自然石ハケ構造を形成する際に大きな障害となる。これらの石は、ただ単に積み上げられているだけなので、崩れやすいという問題もある。
【０００７】
また、従来の自然石ハケ構造は、比較的大きな石のみを用いているので、保水能力が低く、ヒートアイランド現象を十分に緩和することが難しいという問題がある。さらに、積み上げた石全体に給水することが難しいので、景観を向上させるという点についても不十分である。
【０００８】
そこで、本発明の目的は、軽量であり、景観を向上し、湧水・雨水を利用してヒートアイランド現象を十分に緩和する自然石ハケ構造を提供することにある。
【０００９】
【課題を解決するための手段】
本発明は上記目的を達成するために創案されたものであり、請求項１の発明は、地面上に低地と高台を形成し、その低地と高台の段差部分に石を積み上げて形成する自然石ハケ構造において、地面上に、防水シート、メッシュシート、砕石層の順に積層して段差形成層を形成し、その段差形成層の低地側に面した斜面に玉石を配置すると共に、その玉石をワイヤを介してメッシュシートに連結し、爾後、段差形成層を順次多段に積層すると共に、玉石を積み上げて対応するメッシュシートにワイヤを連結し、多段の段差形成層からなる高台と、その高台の斜面に玉石からなる段差とで構成される段差部分を形成し、さらに、最下層の段差形成層を除いた防水シートに、雨水などの水を玉石側に流すべく、水を溜めると共にその一部を下層の段差形成層に流す穴を形成した自然石ハケ構造である。
【００１０】
請求項２の発明は、段差部分を掘削し、その掘削面に不織布を取り付け、その掘削部分に防水シート、メッシュシートを敷き、玉石のワイヤをそのメッシュシートに連結して玉石を並べ、その玉石の列と不織布間に砕石を敷き詰めて砕石層を形成し、その砕石層上に防水シート、メッシュシートを敷き、玉石の列上に玉石を積み重ねて行く請求項１記載の自然石ハケ構造である。
【００１１】
請求項３の発明は、段差部分の上部近傍に、周囲から集めた雨水などを濾過して積み上げた玉石に給水する雨水集水濾過桝を設けた請求項１または２記載の自然石ハケ構造である。
【００１３】
請求項５の発明は、雨水集水濾過桝から上部の玉石に至る間に針葉樹の樹皮を敷き詰めた請求項３記載の自然石ハケ構造である。
【００１４】
【発明の実施の形態】
以下、本発明の好適実施の形態を添付図面にしたがって説明する。
【００１５】
まず、全体構成を図２により説明する。
【００１６】
図２は、本発明に係る自然石ハケ構造とその周囲の一例を示す平面図である。
【００１７】
図２に示すように、敷地（地面）ａは、右側の高台ｈと、左側の低地ｌと、高台ｈと低地ｌ間の段差部分２１とからなっている。高台ｈには、建築物ｂが建てられており、低地ｌでは、泉ｓから湧き出た水が小川ｒとなり、段差部分２１の近傍を流れて池ｐに注ぎ込んでいる。
【００１８】
本発明に係る自然石ハケ構造１は、このような敷地ａに降った雨水、泉ｓからの湧水を利用してヒートアイランド現象を緩和すると共に、より自然を素直に取り入れた水の演出を利用した構造物であり、例えば、池ｐや小川ｒの周りなどの段差部分２１を所望の形状に掘削し、その掘削した段差部分２１に、玉石２２を積み上げて形成されるものである。段差部分２１の上部近傍には、後述するように、周囲から集めた雨水などを濾過して積み上げた玉石２２に給水する雨水集水濾過桝２３が設けられている。
【００１９】
自然石ハケ構造１の背後には後背緑地ｇが形成されている。敷地ａには、高台ｈと低地ｌを結ぶ散策路ｃが形成されており、建築物ｂの住人や周辺の住人、建築物ｂ内で働く人などが、泉ｓ、池ｐ、自然石ハケ構造１などを散策できるようになっている。
【００２０】
建築物ｂの周囲の地下には、高台ｈに降って地表から地下に浸透した雨水を集めるために、複数個の浸透桝２４と、これら浸透桝２４に接続される複数本の通気集水管２５（図２では点線）とが埋設されている。
【００２１】
後背緑地ｇの背後に位置する高台ｈには、高台ｈに降って地表から地下に浸透した雨水を、浸透桝２４と通気集水管２５を介して１箇所に集めて泥を沈殿させ、上澄みの水を通気集水管２６（図２では１点鎖線）を介して雨水集水濾過桝２３に給水する泥だめ桝（集水人孔）２７が設けられている。図３（図２のII−II線断面図）に示すように、泥だめ桝２７の近傍の通気集水管２６には、バルブ２８が設けられており、バルブ２８の開閉を適宜調節することで、泥だめ桝２７の上澄みの水の雨水集水濾過桝２３への給水量を調節している。
【００２２】
この泥だめ桝２７は、高台ｈに降った雨水を集めるだけではなく、池ｐの水をポンプなどで汲み上げて集めるようにしてよい。この場合、図２に示すように、例えば、池ｐ内にピット２９を設け、低地ｌにポンプピット３０を設け、ピット２９とポンプピット３０、ポンプピット３０と泥だめ桝２７をそれぞれ地下に埋設した連通管３１（図２では２点差線）で接続すればよい。
【００２３】
泉ｓ、小川ｒ、池ｐは自然物を利用してもよいが、人工物とすることもできる。この場合、図２に示すように、例えば、泥だめ桝２７と泉ｓを形成したい箇所に設けたピット３２とを連通管３３（図２では２点差線）で接続し、泥だめ桝２７の近傍の連通管３３にバルブ３４を設け、バルブ３４の開閉を適宜調節して泥だめ桝２７の上澄みの水をピット３２に給水することで、泉ｓ、小川ｒ、池ｐを人工的に形成することができる。
【００２４】
さて、図１は、本発明の好適実施の形態である自然石ハケ構造１の概略図（図２のI −I 線断面図）を示したものである。
【００２５】
図１に示すように、本発明に係る自然石ハケ構造１は、例えば、図２で説明した敷地（地面）ａ上に低地ｌと高台ｈを形成し、その低地ｌと高台ｈの段差部分２１に石を積み上げて形成するものである。より詳細には、自然石ハケ構造１は、段差部分２１を掘削し、その掘削面ｆに不織布２を取り付け、掘削部分となる地面（低地）ｌ上に、防水シート３、メッシュシート４、単粒砕石層５の順に積層して第１の段差部分（第１の段差形成層）２１ａを形成し、その第１の段差部分２１ａの低地側に面した斜面６ａに玉石２２を配置すると共に、その玉石２２をワイヤ７を介してメッシュシート４に連結し、以降同様にして防水シート３、メッシュシート４、単粒砕石層５の順に積層して第２の段差部分（第２の段差形成層）２１ｂ、第３の段差部分（第３の段差形成層）２１ｃ…を形成しつつ、各段差部２１ｂ，２１ｃ…の斜面６ｂ，６ｃ…に配置した玉石２２のワイヤ７を、各段差部分２１ｂ，２１ｃ…に積層したメッシュシート４にそれぞれ連結しながら玉石２２を順次積み上げて行くものである。これにより、多段の段差形成層２１ａ〜２１ｄからなる高台と、その高台の斜面に玉石２２からなる段差とで構成される段差部分２１を形成する。各段差部分２１ａ〜ｅの厚さｄは、例えば、約２００ｍｍとなるようにしている。
【００２６】
防水シート３としては、例えば、ポリ塩化ビニルを使用している。最下層の段差部分（第１の段差形成層）２１ａを除いた防水シート３には、雨水などの水を玉石２２側に流すべく、水を溜めると共にその一部を下層の段差形成層に流す穴８が適宜あけられており、各段差部分２１ａ〜ｅの全体が潤うようにしている。防水シート３の厚さは約０．８ｍｍである。
【００２７】
メッシュシート４は、例えば、合成樹脂などで碁盤目状に形成された剛性のあるものであり、防水シート３上に、各メッシュシート４同士の目地が重なるようにして敷設されている。メッシュシート４は、例えば、目地の大きさが２５ｍｍ×２５ｍｍ、厚さが約２．８ｍｍである。
【００２８】
単粒砕石層５としては、保水能力を高めると共に、各段差部分２１ａ〜ｅを崩れにくく、しかも現況の土壌と同程度の比重にする必要があるので、例えば、単粒砕石５ａに軽量骨材を混入し、厚さｄが２００ｍｍ平均となるように敷き詰めたものを用いている。
【００２９】
玉石２２は、単粒砕石５ａに比べて十分大きなものを使用しており、その大きさは約１００ｍｍ〜２００ｍｍ程度である。玉石２２とメッシュシート４間を連結するワイヤ７には、例えば、ＳＵＳ（ステンレス）番線＃１０を用いている。各玉石２２は、それぞれ１本のワイヤ７でメッシュシート４に連結されているが、例えば、２個の玉石２２同士をワイヤ７で連結し、別の２本のワイヤ７で２個の玉石２２をそれぞれメッシュシート４に連結してもよい。
【００３０】
段差部分２１の上部近傍には、周囲から集めた雨水などを濾過して積み上げた玉石２２に給水する雨水集水濾過桝（ポラコン桝）２３を設けている。雨水集水濾過桝２３の上部には、図２で説明した泥だめ桝の上澄みの水が流れる通気集水管２６が接続されている。通気集水管２６としては、例えば、メッシュ管を不織布で巻き込んだものを使用している。
【００３１】
雨水集水濾過桝２３内は、最下層の木炭層９と、木炭層９上のゼオライト層１０と、ゼオライト層１０上の洗砂粗砂層１１とからなる３層構造の濾過層となっており、各層９，１０，１１が不織布でそれぞれ隔てられている。泥だめ桝の上澄みの水は、通気集水管２６を介して雨水集水濾過桝２３の上部に給水され、雨水集水濾過桝２３内で三層濾過されて給水口１２から積み上げた玉石２２に給水される。
【００３２】
雨水集水濾過桝２３の蓋１３は取り外し可能となっている。蓋１３が段差部分２１の上面２１ｕに露出するように雨水集水濾過桝２３を設置すれば、濾過層を容易に交換することができ、積み上げた玉石２２に常にきれいな水を給水することができる。
【００３３】
雨水集水濾過桝２３から上部の玉石２２に至る間には、腐りにくく、繊維が長く絡みやすい杉皮等からなる針葉樹の樹皮１４ａを敷き詰めている。すなわち、第５の段差部分２１ｅでは、単粒砕石層５の変わりに、メッシュシート４上に樹皮１４ａを敷き詰めて樹皮層１４を形成している。これにより、上部の玉石２２と雨水集水濾過桝２３の間が崩れにくくなる。
【００３４】
次に、自然石ハケ構造１の作製手順を説明する。
【００３５】
まず、池や小川の周りなどの段差部分２１を所望形状に掘削し、その掘削面ｆに不織布２を取り付ける。掘削部分である地面（低地）ｌ上に、防水シート３とメッシュシート４を敷く。玉石２２にワイヤ７を連結し、メッシュシート４の手前側にワイヤ７を連結した玉石２２を列状に並べる。メッシュシート４の目地に背面のワイヤ７を巻き付け、玉石２２を固定する。同様にして、列状に並べた玉石２２上に玉石２２を積み上げ、積み上げ高さが約２００ｍｍとなるようにする。玉石２２の列と不織布２間に、単粒砕石５ａに軽量骨材を混入したものを敷き詰めて厚さｄが約２００ｍｍの単粒砕石層５を形成し、第１の段差部分２１ａを形成する。
【００３６】
その後、同様にして、第１の段差部分２１ａの単粒砕石層５上に防水シート３とメッシュシート４を敷き、玉石２２の列上に玉石２２を積み重ねて行き、積み上げた玉石２２の形状をバランスを取りながら、第２〜４の段差部分２１ｂ〜ｄを形成する。第４の段差部分２１ｄの単粒砕石層５上に防水シート３とメッシュシート４を敷き、上部の玉石２２を積み上げ、上部の玉石２２の列と不織布２間に樹皮１４ａを敷き詰めて樹皮層１４を形成し、第５の段差部分２１ｅを形成する。上記作業の合間（単粒度砕石５ａや樹皮１４ａを敷き詰める前）に、第２〜第５の段差部分２１ｂ〜ｅの防水シート３に適宜穴８をあけ、各段差部分２１ａ〜ｅの全体が潤うようにする。このとき、穴８が多すぎたり大きすぎたりしないように注意する。
【００３７】
段差部分２１の上部に雨水集水濾過桝２３を設け、その雨水集水濾過桝２３に通気集水管２６を接続する。上部の玉石２２から雨水集水濾過桝２３の間は崩れやすいので、雨水集水濾過桝２３から上部の玉石２２に至る間に樹皮１４ａを敷き詰める。
【００３８】
段差部分２１の上面２１ｕには、株立ちが小さ目の雑木１５などを法上に植え、段差部分２１の先端部２１ｔにしたがって山肌や草苔１６などをあしらう。予め玉石２２の表面に適宜苔をあしらってもよい。最後に、絞り水を受けて流れる小川ｒの造形を丁寧に行い、水が高きより低きへ流れる自然の演出の仕上げを行うと、図１に示した自然石ハケ構造１が完成する。
【００３９】
本実施の形態の作用を説明する。
【００４０】
地下に浸透した雨水や池から汲み上げられた水は、泥だめ桝に集められて泥が沈殿させられる。泥だめ桝の上澄みの水は、通気集水管２６から雨水集水濾過桝２３に給水される。上澄みの水は雨水集水濾過桝２３で三層濾過され、濾過された水が給水口１２から第５の段差部分２１ｅに給水される。第５の段差部分２１ｅに給水された水は樹皮層１４を潤し、防水シート３に溜まりながら斜面６ｅに固定された玉石２２に達し、玉石２２を洗いながら滴り落ちる。このとき、防水シート３には適宜穴８があけられているので、防水シート３に溜まった水の一部が第４の段差部分２１ｄに給水される。
【００４１】
同様にして、順次第４〜第１の段差部分２１ｄ〜ａに給水された水は単粒砕石層５を潤し、防水シート３に溜まりながら斜面６ｄ〜ａに固定された玉石２２に達し、玉石２２を洗いながら滴り落ちる。その絞り水は下部の玉石２２の脇を流れる小川ｒを流れ、池や棚田などの小動物の住む生物空間（ビオトープ：ｂｉｏｔｏｐｅ）に注ぎ込む。
【００４２】
玉石２２を洗いながら滴り落ちる水は、玉石２２表面に苔を生育させるので、微小生物の良好な生育環境を提供できる。これは、予め玉石２２の表面に適宜苔をあしらって自然石ハケ構造１を作製するとより効果的である。
【００４３】
このように、本発明に係る自然石ハケ構造１は、各段差部分の２１ａ〜ｅの斜面６ａ〜ｅのみに玉石２２を配置しているので、軽量である。単粒砕石層５として、単粒砕石５ａに軽量骨材を混入したものを用いているので、現況の土壌と同程度の比重が可能であり、この点からも軽量である。
【００４４】
玉石２２はワイヤ７でメッシュシート４にそれぞれ固定されており、メッシュシート４は単粒砕石層５や樹皮層１４で押さえつけられているので、非常に崩れにくい。
【００４５】
また、各段差部分２１ａ〜ｅには、単粒砕石に軽量骨材を混入した単粒砕石層５や樹皮層１４が形成されているので、保水能力が高く、雨水などを利用してヒートアイランド現象を十分に緩和することができる。
【００４６】
さらに、各段差部分２１ａ〜ｅには防水シート３が敷かれており、しかもこれらの防水シート３には適宜穴８があけられているので、積み上げた玉石２２全体に給水することができ、自然物のハケのように、水が玉石２２を洗いながら滴り落ちる様子が再現され、景観が向上する。
【００４７】
各段差部分２１ａ〜ｅのメッシュシート４に、玉石２２がワイヤ７で連結されて固定されているので、水を抜くことなく、玉石２２が積み上げられた部分である護岸の改修が可能である。
【００４８】
本発明は、雨水保護の考え方と、自然への郷愁、愛着を人々が再び思い出しつつある今日的状況にふさわしいものである。生態系まで含めた視野のもと、原体験・原風景的な記憶が、豊かで潤いのある生活に貢献できるデザインとして求められており、本発明のように、記憶に残る特徴的な自然の風景をそのまま切り取り、生活空間に嵌め込むものは新鮮である。
【００４９】
上記実施の形態では、段差部分２１を所望の形状に掘削してから本発明に係る自然石ハケ構造１を形成する例で説明したが、段差部分２１が所望の形状に近い場合には、段差部分２１を掘削することなくそのまま利用して自然石ハケ構造を形成してもよい。
【００５０】
本発明の自然石ハケ構造は、軽量であるので、図２で説明したような敷地ａの段差部分２１だけでなく、屋上などの人工地盤上に形成することもできる。
【００５１】
【発明の効果】
以上説明したことから明らかなように、本発明によれば、次のような優れた効果を発揮する。
【００５２】
（１）軽量である。例えば、法スソを切り取り、自然石ハケ構造で法尻処理する場合、単粒砕石に軽量骨材を混入した単粒砕石層を用いることにより、現況土壌と同程度の比重が可能である。
【００５３】
（２）湧水・雨水などを有効に利用してヒートアイランド現象を十分に緩和できる。
【００５４】
（３）景観が向上する。
【００５５】
（４）微小生物の良好な生育環境を提供できる。
【００５６】
（５）水を抜くことなく、護岸改修が可能である。
【図面の簡単な説明】
【図１】本発明の好適実施の形態を示す概略図（図２のI −I 線断面図）である。
【図２】自然石ハケ構造とその周囲の一例を示す平面図である。
【図３】泥だめ桝と雨水集水濾過桝の概略図（図２のII−II線断面図）である。
【符号の説明】
１  自然石ハケ構造
２  不織布
３  防水シート
４  メッシュシート
５  単粒砕石層
５ａ  単粒度砕石
６ａ〜ｅ  斜面
７  ワイヤ
１４  樹皮層
１４ａ  樹皮
２１  段差部分
２１ａ〜ｅ  第１〜第５の段差部分
２２  玉石
２３  雨水集水濾過桝
２６  通気集水管
ｌ  地面（低地）
【図１】
0004061097.tif 000002
【図２】
0004061097.tif 000003
【図３】
0004061097.tif 000004